(57)【要約】【課題】  従来クレーンゲーム機内は、ケーキや菓子等を景品として使用した場合、食品衛生上の問題があった。冷温装置を増設した場合は、ガラスが曇りプレイがしずらく、景品をアームでつかみ入賞口に落とすと、落とした際に生じる衝撃により、景品が破損する問題点もあった。  これらの問題点を解決し、楽しさと美味しさを体験できるクレーンゲーム機を提供する。【解決手段】  クレーンゲーム機内で食品を保管する機能を備えた冷温機を設け、冷気があたっても曇らない耐寒性ガラスを設けたクレーンゲーム機内のフィールドに、アームで景品に僅かな動作を加えると、景品が入賞口に滑り落ちる斜面状のフィールドを設け、景品入賞口に直結した引出し式景品取り出し口を設けた事を特徴とするクレーンゲーム機。【選択図】図１
2014064863.tif 000002
【特許請求の範囲】
【請求項１】
通常のクレーンゲーム機本体の天井の外側または適所に、ケーキや菓子等を適切な温度で保管するため、機内温度を調節する冷温装置を設け、機内のボックス側壁をなす透明ガラスの部分は、結露や曇りを防止できる耐寒性ガラスを利用し、ボックス内の景品を陳列する陳列フィールドは、通常の平坦なフィールドと違って、表面が適度に滑るアクリル製等の斜面状フィールドに形成し、獲得対象の景品を陳列フィールドから入賞口に移すに際し、落差を落下させることなく、フィールド上を押し引きする操作だけでも成功することもできるように、斜面状フィールドとほぼ同じ高さ・僅かな落差で入賞口を設け、入賞口の内容器は引出しになっており、そのまま直接引出し式景品取り出し口と連続的一体の形で形成されるのであり、この引出し式景品取り出し口を引き出した際に、クレーンゲーム機内のボックスにプレイヤーが直接手を入れて不正行為を行う危険を防止するため、ボックス内側の引出し式景品取り出し口のすぐ上の辺りに不正防止板を設け、機体のボックス内が常に一定の適正温度に保たれているかを確認できるように、クレーンの動きにジャマにならないような内壁面の適所に、温度計を設けたことを特徴とするケーキや菓子等を景品として使用できるクレーンゲーム機。
【発明の詳細な説明】
【技術分野】
【０００１】  本発明は、クレーンゲーム機に関するものである。
【背景技術】
【０００２】  従来のクレーンゲーム機は、もっぱらぬいぐるみや雑貨品等を景品として使用する機械構造となっており、ケーキや菓子類を景品として使用するには不向きであった。
なお、特殊なクレーンゲーム機として、冷凍又は冷蔵機能が設けられているものも知られている（特許文献１参照）。
【先行技術文献】
【特許文献】
【０００３】
【特許文献１】特開２００１−１９０８３１号公報
【発明の概要】
【発明が解決しようとする課題】
【０００４】  従来のクレーンゲーム機でケーキや菓子等の食べ物を景品として使用した場合、機内の温度調節が出来ないので食品衛生上使用する事が出来なかった。又機内の温度を調節する為の冷温装置を簡易的に増設した場合は、クレーンゲーム機本体の周壁のガラスが曇ったり、霜が発生する問題があった。又従来の冷蔵機能が設けられているクレーンゲーム機（特許文献１参照）であっても、ケーキ等の菓子類は、クレーンで持ち上げて入賞口に落とした場合、入賞口と景品取り出し口に落差が有る為、プレイヤーが苦労して獲得したケーキ等の菓子類は入賞口に落ちた際に生じる衝撃により形が崩れ、適切な状態でプレイヤーに提供出来ない等の問題が有り、景品として使用する事が困難であった。
本発明は、以上の問題点を解決する為になされたものである。
【課題を解決するための手段】
【０００５】  通常のクレーンゲーム機本体の天井の外側または適所に、機内温度を調節する冷温装置を設ける。機内のボックス側壁をなす透明ガラスの部分は耐寒性ガラスを利用する。ボックス内の景品を陳列する陳列フィールドは、通常の平なフィールドと違って、表面が適度に滑るアクリル製等の斜面状フィールドに形成する。獲得対象の景品を陳列フィールドから入賞口に移すに際し、落差を落下させることなく、フィールド上を押し引きする操作だけでも成功することもできるように、斜面状フィールドとほぼ同じ高さ・僅かな落差で入賞口を設け、入賞口の内容器は引出しになっており、そのまま直接引出し式景品取り出し口と連続的一体の形で形成される。この引出し式景品取り出し口を引き出した際に、クレーンゲーム機内のボックスにプレイヤーが直接手を入れて不正行為を行う危険を防止するため、ボックス内側の引出し式景品取り出し口のすぐ上の辺りに不正防止板を設ける。機体のボックス内が常に一定の適正温度に保たれているかを確認できるように、クレーンの動きにジャマにならないような内壁面の適所に、温度計を設ける。
以上のような構成を特徴とするケーキや菓子等を景品として使用できるクレーンゲーム機である。
【本発明の効果】
【０００６】  従来、クレーンゲームの景品として多く使用されているヌイグルミや雑貨品は特定の客層のみに支持される事が多いが、これらの景品に比べ、ケーキや菓子類は、子供から年配の方そして男女を問わず多くの方々に支持される。ケーキや菓子類を安全で安心な状態でクレーンゲーム特有の楽しさを通じて多く人々に提供出来るになれば、今までクレーンゲームに興味が無かった方々にもクレーンゲームをプレイしていただく機会ができ、娯楽施設に興味をもってもらう事ができる。また本発明の手段はケーキや菓子類のみならず、従来のクレーンゲーム機の問題点である景品を持ち上げ入賞口に落とす時の衝撃の問題を解決しているので、プラスチック製のおもちゃ、ラジコン等の精密機械を搭載された、衝撃に弱い景品等の使用にも大いに活用できる。
本発明により、今までに無いクレーンゲーム機が誕生し、より多くの方々にクレーンゲームを楽しんで頂き、娯楽業界の発展と活性化が大いに期待できる。
【図面の簡単な説明】
【０００７】
【図１】本発明の斜視図
【図２】本発明の使用状態を示す斜視図
【発明を実施するための形態】
【０００８】  以下、本発明の実施の形態を説明する。
クレーンゲーム機の上部に冷温装置（Ａ）を設け、クレーンゲーム機内に、冷気（Ｊ）が十分に行き渡り景品（Ｃ）として使用するケーキや菓子類が適切な状態に保てる様に形成し、クレーンゲーム機内に、景品（Ｃ）であるケーキや菓子類を設置する斜面状フィールド（Ｅ）を設ける。そして斜面状フィールド（Ｅ）とほぼ同じ高さに、景品入賞口（Ｄ）を設け、この景品入賞口（Ｄ）に直結する様に、引出式景品取り出し口（Ｇ１）及び（Ｇ２）を設け、プレイヤーが、引出式景品取り出し口（Ｇ１）及び（Ｇ２）を引き出した際に、クレーンゲーム機内にプレイヤーが直接手を入れてしまう不正防止対策として、引出式景品取り出し口（Ｇ１）及び（Ｇ２）の上部に不正防止板（Ｆ）を設け、常にクレーンゲーム機内の温度が適正な温度であるか確認するために、温度計（Ｉ）を設ける。又クレーンゲーム機内は、常に冷気（Ｊ）で満たされているため、外気との温度差によりクレーンゲーム機のガラスが曇ってしまうので、クレーンゲーム機のガラスは、冷気（Ｊ）があたっても曇らない耐寒性ガラス（Ｈ）を使用する。本発明は以上のような構成である。
本発明を使用してゲームをプレイするには、クレーンゲーム機のコイン投入口（Ｋ）にプレイ料金である硬貨を投入し、アーム縦軸操作ボタン（Ｌ）とアーム横軸操作ボタン（Ｍ）でアーム（Ｂ）を操作する。従来のクレーンゲームで景品を獲得するには、アーム（Ｂ）で景品を持ち上げる等の方法が一般的であったが、本発明の特徴である斜面状フィールド（Ｅ）に設置された景品（Ｃ）のケーキや菓子類は、押したり、引っかけたりする等の動作により、滑らせて景品入賞口（Ｄ）に入賞させる事ができる。そして景品入賞口（Ｄ）に入賞した景品（Ｃ）のケーキや菓子類は、衝撃等は一切受けずに形が保たれており、引出し式景品取り出し口（Ｇ１）及び（Ｇ２）を引出し、取り出す事ができる。取り出した景品（Ｃ）のケーキや菓子類は、冷温装置（Ａ）により適切な温度で管理され、抜群な鮮度が保たれた状態でプレイヤーに提供する事ができる（図２の▲１▼〜▲３▼を参照）。
この様にして、ケーキや菓子等をクレーンゲーム機の景品（Ｃ）として適切な状態でプレイヤーに提供する事が可能になり、今までに無い、画期的なクレーンゲーム機が誕生し、子供から年配の人まで多くの人々に、楽しさと美味しさの相乗効果により創造される癒しの体験を提供する事ができる。
【符号の説明】
【０００９】Ａ  冷温装置，  Ｂ  アーム，  Ｃ  景品，  Ｄ  景品入賞口，
Ｅ  斜面状フィールド，  Ｆ  不正防止板，  Ｇ１  引出し式景品取り出し口，
Ｇ２  引出式景品取り出し口，  Ｈ  耐寒性ガラス，  Ｉ  温度計，
Ｊ  冷気，  Ｋ  コイン投入口，
Ｌ  アーム縦軸操作ボタン，  Ｍ  アーム横軸操作ボタン
【図１】
2014064863.tif 000003
【図２】
2014064863.tif 000004